(57)【要約】【課題】  後付けタイプの埋め込み型ガスコンセントに用いられる挟持固定板を、先付けタイプの埋め込み型ガスコンセントにも使用することができるようにする。【解決手段】  取付板２及び挟持固定板３をボルトＢ１によって壁部Ｗの内面Ｗａ及び外面Ｗｏにそれぞれ押圧固定する。挟持固定板３の一側部と他側部とには、室内側から室外側へ向かって突出する突出板部３ｃを形成する。突出板部３ｃをボルトＢ３によって縦桟Ｓに固定する。突出板部３ｃの高さは、挟持固定板３が貫通孔Ｗｃを通り抜けることができるような高さに設定する。【選択図】  図１１
2005140213.tif 000002
【特許請求の範囲】
【請求項１】
矩形の貫通孔を有する壁部の室内に臨む内面の上記貫通孔を環状に囲む部分と対向して配置された矩形の枠状をなす取付板と、上記壁部の室外側を向く外面の上記貫通孔を環状に囲む部分と対向して配置された矩形の枠状をなす挟持固定板と、上記取付板を室内側から室外側に貫通し、上記貫通孔を通って上記挟持固定板に螺合されたボルトを締め付けることにより、上記取付板及び上記挟持固定板が上記壁部の内面と外面とにそれぞれ押圧固定され、上記取付板に上記貫通孔内に収容されたガス栓が取り付けられた埋め込み型ガスコンセントにおいて、
上記挟持固定板の左右両側部の少なくとも一方に、ボルト挿通孔を有し、室内側から室外側に向かって突出する突出板部を設け、上記挟持固定板が上記貫通孔を通り抜けることができるように、上記突出板部の寸法を設定したことを特徴とする埋め込み型ガスコンセント。
【請求項２】
上記貫通孔及び上記挟持固定板が略正方形に形成されていることを特徴とする請求項１に記載の埋め込み型ガスコンセント。
【請求項３】
上記取付板の一側部に上記ガス栓が取り付けられ、他側部に電気コンセントのコンセント本体が取り付けられていることを特徴とする請求項２に記載の埋め込み型ガスコンセント。
【請求項４】
上記突出板部が、上記一方の側部の両端から離間して当該側部の中央部に配置されていることを特徴とする請求項１〜３のいずれかに記載の埋め込み型ガスコンセント。
【発明の詳細な説明】
【技術分野】
【０００１】
この発明は、壁部に形成された貫通孔内にガス栓が収容された埋め込み型ガスコンセントに関する。
【背景技術】
【０００２】
一般に、埋め込み型ガスコンセントは、ガス栓が取り付けられる取付板と、この取付板を内壁（壁部）に固定するのに用いられる挟持固定板とを有しており、挟持固定板の取り付け時期に応じて先付けタイプのものと後付けタイプのものとに分けられている。
【０００３】
先付けタイプの埋め込み型ガスコンセントは、挟持固定板を内壁の形成前に縦桟等に取り付けるようにしたものであり、挟持固定板は平板状をなす本体板部と、この本体板部の左右の一側部から室外側に突出する突出板部とによってＬ字状に形成されている。突出板部は、内壁が形成される前に、内壁支持用の縦桟等の左右いずれかの側面に取り付けられる。その結果、挟持板部が、その本体板部を室内側に向けた状態で縦桟に取り付けられる。その後、縦桟より内側の部分に内壁が形成されるとともに、内壁の本体板部と対向する箇所に貫通孔が形成される。内壁の形成後、室内には挟持固定板の本体板部と貫通孔を介して対向した取付板が配置される。そして、取付板を貫通して挟持固定板に螺合されたボルトを締め付けることにより、取付板が内壁の室内を向く内面に押圧固定される。取付板には、貫通孔内に配置されたガス栓が取り付けられる（特許文献１参照）。
【０００４】
一方、後付けタイプの埋め込みガスコンセントは、内壁の形成後に挟持固定板を内壁の室外側を向く面に固定するようにしたものであり、挟持固定板は平板状に形成されている。挟持板は、内壁及び貫通孔の形成後、室内から貫通孔を通して室外側に移動させられ、内壁の室外側を向く面と対向した状態に配置される。その後、室内側には、取付板が貫通孔を介して挟持固定板と対向配置される。そして、取付板を貫通して挟持固定板に螺合されたボルトを締め付けると、取付板と挟持固定板とが内壁を挟持する。この結果、取付板と挟持固定板とが、内壁の内面と外面とにそれぞれ押圧固定される。勿論、取付板には貫通孔内に配置されたガス栓が取り付けられる（特許文献２参照）。
【０００５】
【特許文献１】実開平５−１０８８０号公報
【特許文献２】実開昭６３―８４４７４号公報
【発明の開示】
【発明が解決しようとする課題】
【０００６】
従来の先付けタイプの埋め込み型ガスコンセントにおいては、挟持固定板がＬ字状をなしているため、挟持固定板を貫通孔に通そうとすると、突出板部が壁部に引っ掛かってしまい、貫通孔に通すことができない。このため、先付けタイプの埋め込み型ガスコンセントの挟持固定板は、後付けタイプの挟持固定板として使用することができない。一方、後付けタイプの埋め込み型ガスコンセントにおいては、挟持固定板が突出板部を有していないので、先付けタイプの挟持固定板として使用することができない。このように、従来の埋め込み型ガスコンセントでは、先付けタイプのものと後付けたいイプのものとでそれぞれ専用の挟持固定板を必要とし、その分製造費が嵩むという問題があった。
【課題を解決するための手段】
【０００７】
この発明は、上記の問題を解決するために、矩形の貫通孔を有する壁部の室内に臨む内面の上記貫通孔を環状に囲む部分と対向して配置された矩形の枠状をなす取付板と、上記壁部の室外側を向く外面の上記貫通孔を環状に囲む部分と対向して配置された矩形の枠状をなす挟持固定板と、上記取付板を室内側から室外側に貫通し、上記貫通孔を通って上記挟持固定板に螺合されたボルトを締め付けることにより、上記取付板及び上記挟持固定板が上記壁部の内面と外面とにそれぞれ押圧固定され、上記取付板に上記貫通孔内に収容されたガス栓が取り付けられた埋め込み型ガスコンセントにおいて、上記挟持固定板の左右両側部の少なくとも一方に、ボルト挿通孔を有し、室内側から室外側に向かって突出する突出板部を設け、上記挟持固定板が上記貫通孔を通り抜けることができるように、上記突出板部の寸法を設定したことを特徴とする埋め込み型ガスコンセント。
この場合、上記貫通孔及び上記挟持固定板が略正方形に形成されていることが望ましい。
上記取付板の一側部に上記ガス栓が取り付けられ、他側部に電気コンセントのコンセント本体が取り付けられていることが望ましい。
上記突出板部が、上記一方の側部の両端から離間して当該側部の中央部に配置されていることが望ましい。
【発明の効果】
【０００８】
上記特徴構成を有するこの発明によれば、挟持固定板を先付けタイプの埋め込み型ガスコンセントと後付け型ガスコンセントとのいずれにも使用することができる。したがって、挟持固定板の種類を半分に減らすことができ、埋め込み型ガスコンセントの製造費を低減することができる。また、家屋の施工中に内壁と挟持固定板との施工順序が何等かの理由によって変更になった場合であっても、それに対応することができる。
【発明を実施するための最良の形態】
【０００９】
以下、この発明を実施するための最良の形態を、添付の図１〜図１７を参照して説明する。
まず、この発明に係る埋め込み型ガスコンセント１が取り付けられる壁部Ｗについて説明すると、壁部Ｗは家屋の側壁の一部である内壁を構成するものであり、壁部Ｗの室外Ｏ側には、外壁（図示せず）が壁部Ｗから所定距離だけ離れて配置形成されている。壁部Ｗには、室内Ｉ側を向く内面Ｗａから室外Ｏ側を向く外面Ｗｂまで貫通する貫通孔Ｗｃが形成されている。貫通孔Ｗｃは、断面略正方形に形成されているが、縦長又は横長の長方形に形成されることもある。
【００１０】
次に、この発明に係る埋め込み型ガスコンセント１について説明する。この埋め込み型ガスコンセント１は、先付けタイプ及び後付けタイプのいずれのタイプとしても使用することができるのみならず、電気コンセント付きガスコンセントとして開発されたものである。まず、後付けタイプの埋め込み型ガスコンセントとして用いられる場合について説明すると、ガスコンセント１は、図１〜図３に示すように、壁部Ｗを間にして室内Ｉ側に配置されたガス用取付板２と、室外Ｏ側に配置された挟持用固定板３とを有している。
【００１１】
ガス用取付板２は、金属製の板材からなるものであり、図１〜図３及び図５に示すように、略正方形の枠状（環状）に形成されている。取付板２の外形寸法は、貫通孔Ｗｃの内形寸法より一回り大きく形成されており、取付板２の内形寸法は、貫通孔Ｗｃの内形寸法より若干小さく形成されている。取付板２は、その室外Ｏ側を向く端面の外周側部分が壁部Ｗの室内Ｉ側を向く内面Ｗａの貫通孔Ｗｃを囲む環状の部分に全周にわたって接触するとともに、その内周縁のほぼ全体が貫通孔Ｗｃの内周面から内側に突出するように配置されている。ガス用取付板２は、貫通孔Ｗｃが長方形に形成される場合には、それに対応して長方形に形成される。
【００１２】
一方、固定板３は、取付板２と同様に、金属製の板材からなるものであり、図２、図３及び図６に示すように、略正方形の枠状に形成されている。固定板３の外形寸法は、貫通孔Ｗｃの内形寸法より一回り大きく形成されており、固定板３の内形寸法は貫通孔Ｗｃの内形寸法とほぼ同一か若干大きく形成されている。固定板３は、その室内Ｉ側を向く面が壁部Ｗの室外Ｏ側を向く外面Ｗｂの貫通孔Ｗｃを囲む環状の部分に全周にわたって接触し、しかも固定板３の内周縁が貫通孔Ｗｃの内周面とほぼ同一平面上に位置するか、内周面より若干径方向外側に位置するるようにして配置されている。固定板３も、貫通孔Ｗｃが長方形に形成される場合には、それに対応して長方形に形成される。
【００１３】
ガス用取付板２には、左右に長い長孔からなるボルト挿通孔２ａが四つ形成されている。各ボルト挿通孔２ａは、貫通孔Ｗｃの各隅部の近傍で、かつ貫通孔Ｗｃの内周面より内側に配置されている。各ボルト挿通孔２ａには、ボルトＢ１が挿通されている。ボルト挿通孔２ａを貫通したボルトＢ１は、貫通孔Ｗｃを通り、固定板３の内周面に形成された突片３ａのねじ孔３ｂに螺合されている。そして、ボルトＢ１を締め付けることにより、ガス用取付板２が壁部Ｗの内面Ｗａに押圧固定されるとともに、挟持用固定板３が壁部Ｗの外面Ｗｂに押圧固定されている。
【００１４】
図１及び図２示すように、貫通孔Ｗｃの一側部（この実施の形態では図１の右側部）には、迅速継手タイプのガス栓４がそのプラグ部４ａを室内Ｉ側に向けた状態で配置されている。ガス栓４は、取付板２の一側部に形成された支持片２ｂにボルトＢ２によって固定されている。周知のように、プラグ部４ａには、ソケット（図示せず）が接続される。そして、プラグ部４ａにソケットが接続されると、ガス栓４が自動的に閉状態から開状態に切り替わる。勿論、ソケットがプラグ部４ａから外されると、ガス栓４が自動的に開状態から閉状態に切り替わる。
【００１５】
取付板２の室内Ｉ側を向く表面の左側部（他側部）には、市販の電気コンセントの一部をなす電気用取付板５が押圧固定されている。電気用取付板５は、金属製の板材からなるものであり、図１、図７及び図８に示すように、上下に長い略長方形の枠状に形成されている。取付板５の上下の長さは、ガス用取付板２の上下方向の長さと同一に設定されており、取付板５の上下の両端面（第２平行端面）５ａ，５ｂは取付板２の上下の両端面（平行端面）２ｃ，２ｄと同一平面上に位置させられている。換言すれば、ガス用取付板２の上下の長さが電気用取付板５の上下の長さと同一に設定され、それによってガス用取付板２の上下方向の長さが必要最小限に小さく設定されている。取付板５は、上記四つのボルトＢ１のうちの左側部に配置された二つのボルトＢ１によって貫通されている。そして、ボルトＢ１を締め付けることにより、取付板２が取付板５を介して押されて壁部Ｗに押圧固定されるとともに、取付板５が取付板２の表面に押圧固定されている。取付板５は、ボルトＢ１と異なるボルトを用いて取付板２に固定してもよい。その場合には、ボルトを取付板５に対して室内Ｉ側から貫通させて取付板２に螺合させる。そして、ボルトを締め付けることにより、取付板５が取付板２に固定される。
【００１６】
ボルトＢ１が挿通される取付板５のボルト挿通孔５ｃは、左右に長い長孔として形成されている。これは、市販の埋め込み型電気コンセントを単独で設置するときに、取付板５を挿通孔５ｃに挿通されたボルト（ボルトＢ１）に対して左右方向へ相対移動させて取付板５の姿勢を適宜調節し、ひいては次に述べるコンセント本体６の長手方向を正しく上下方向に向けるためのものである。また、ボルトＢ１が挿通される取付板２のボルト挿通孔２ａも左右に長い長孔になっているが、これは取付板２の取付姿勢を適宜調節するためのものである。
【００１７】
電気用取付板５には、図１、図２、図７及び図１０に示すように、電気コンセントの一部をなすコンセント本体６が挿入されている。コンセント本体６は、図１、図２、図７及び図９に示すように、略直方体をなしており、その一部は取付板２から室外Ｏ側に突出して貫通孔Ｗｃ内に収容され、他の一部は取付板５から室内Ｉ側に突出している。コンセント本体６の左右両側部には、突出部６ａが２個宛て形成されている。各突出部６ａは、取付板５の左右両側部に形成された環状係合部５ｄに移動不能にそれぞれ嵌め込まれている。これにより、コンセント本体６が取付板５に固定されている。突出部６ａは、取付板５及び環状係合部５ｄを弾性変形させることにより、環状係合部５ｄに嵌め込むことができる。コンセント本体６の室内Ｉ側を向く面には、ソケット（図示せず）が差し込まれる差込口６ｂが上下に２つ設けられている。
【００１８】
上記のように、電気用取付板５はボルトＢ１によってガス用取付板２に固定されているが、ボルトＢ１が挿通されるボルト挿通孔５ｃが左右に長い長孔として形成され、しかもボルト挿通孔５ｃの上下の幅は、ボルトＢ１の雄ねじ部のＢ１ａの外径より若干広くなっている。したがって、取付板５の上下の端面５ａ，５ｂを取付板２の上下の端面２ｃ，２ｄと同一平面上に位置させる際には、取付板５の位置を微調整する必要があり、そのために多くの手間を要する。そこで、このガスコンセント１においては、取付板５の位置を微調整することなく、その上下の端面５ａ，５ｂを取付板２の上下の端面２ｃ，２ｄと同一平面上に位置させることができるようにするために、取付板２，５間に位置決め機構７が設けられている。
【００１９】
すなわち、図１、図７及び図８に示すように、取付板５の上下の両端部、つまり上下の両端面５ａ，５ｂの近傍部分には、取付板５を貫通する係合孔５ｅがそれぞれ１つ宛て形成されている。各係合孔５ｅは、取付板５が市販の電気コンセントの取付板である場合には、予め定められた所定の位置にそれぞれ配置されている。一方、取付板２の室内Ｉ側を向く表面には、各係合孔５ｅに嵌合する係合突起２ｅが形成されている。二つの係合突起２ｅは、各係合孔５ｅにそれぞれ嵌合することによって取付板５の取付板２に対する位置を決定する。この場合、二つの係合孔５ｅ，５ｅ（係合突起２ｅ，２ｅ）が取付板５の上下の両端部に配置されているから、つまり両係合孔５ｅ，５ｅ間の距離が長いので、取付板５の取付板２に対する位置決め精度が向上する。各突起２ｅは、各孔５ｅにそれぞれ嵌合すると、取付板５の上下の両端面５ａ，５ｂが取付板２の上下の両端面２ｃ，２ｄと同一平面上に位置するように配置されている。したがって、市販の電気コンセントの取付板５及びコンセント本体６を高精度にかつ容易に位置決めすることができ、取付板５の一部（両端面５ａ，５ｂの一部）が取付板２から外部に突出するようなことがない。したがって、図２及び図４に示すように、ガス用取付板２に化粧蓋８を取り付ける際に、取付板５が邪魔になるようなことがない。
【００２０】
次に、ガスコンセント１が先付けタイプのガスコンセントとして使用される場合について説明すると、この埋め込み型ガスコンセント１においては、図２、図３、図６及び図１１に示すように、挟持固定板３の左右両側部に突出板部３ｃがそれぞれ形成されている。突出板部３ｃは、挟持固定板３の左右いずれか一方の側部にのみ形成してもよい。
【００２１】
突出板部３ｃは、挟持固定板３の上下方向における両端部から離れ、上下方向における中央部に配置されており、挟持固定板３に対してほぼ直交するようにして挟持固定板３から室外Ｏ側に向かって突出している。突出板部３ｃは、その上下両端部に配置された長突出部３ｄ，３ｄと、それらの間に設けられた短突出部３ｅとから構成されている。長突出部３ｄには、その長手方向、つまり室内外方向に延びるボルト挿通孔３ｆが形成されている。
【００２２】
図１１に示すように、挟持固定板３の左右両側部に形成された二つの突出板部３ｃ，３ｃのいずれか一方が縦桟Ｓの左右いずれかの側面の室内Ｉ側の端部に固定されている。この場合、突出板部３ｃは、ボルト挿通孔３ｆを貫通して縦桟Ｓに螺合固定されたビスＢ３によって押圧固定されており、突出板部３ｃの位置をボルト挿通孔３ｆの長さの範囲内において適宜調節することにより、挟持固定板３の室内Ｉ側を向く面が縦桟Ｓの室内Ｉ側を向く面とほぼ同一平面上に位置させられている。この結果、挟持固定板３は、内壁Ｗの室外Ｏ側を向く面にもほぼ接触している。
【００２３】
ここで、ガスコンセント１を後付けタイプのガスコンセントとして使用する場合には、内壁Ｗに貫通孔Ｗｃを形成した後、挟持固定板３を貫通孔Ｗｃから室外O側に通す必要がある。そこで、このガスコンセント１においては、図１２に示すように、挟持固定板３の突出板部３ｃが形成された両側部を水平にするとともに、他の二つの側部を貫通孔Ｗｃの任意の対角線とほぼ平行になるように挟持固定板３を斜めに傾斜させとき、突出板部３ｃ、特にその長突出部３ｄが壁部Ｗに突き当たることなく、貫通孔Ｗｃを通り抜けることができるように、その突出長さＬが設定されている。したがって、挟持固定板３は、貫通孔Ｗｃを室内Ｉ側から室外Ｏ側へ通り抜けることができる。特に、この実施の形態では、突出板部３ｃが挟持固定板３の側部にその全長にわたって形成されることなく、その中央部にのみ所定の長さをもって形成されているので、図１３に示すように、挟持固定板３を図１２に示す状態から挟持固定板３の中央を通りかつ挟持固定板３と直交する線を中心として９０°回転させた状態にすると、挟持固定板３は貫通孔Ｗｃをより一層容易に通過することができる。なお、図１３において想像線で示すように、突出板部３ｃを、長突出部３ｄの突出長さを維持した状態で挟持固定板３の一側部の全長にわたって形成した場合には、挟持固定板３の貫通孔Ｗｃに対する挿通し易さは、図１２の状態の場合と同様である。
なお、その他の構造は、ガスコンセント１が後付けタイプのものとして使用される場合と同様であるので、その説明は省略する。
【００２４】
上記構成の埋め込み型ガスコンセント１においては、挟持固定板３が突出板部３ｃを有し、しかも貫通孔Ｗｃに挿通可能であるから、挟持固定板３を先付けタイプのガスコンセントと後付けタイプのガスコンセントとのいずれにも使用することができる。よって、埋め込み型ガスコンセント１の製造費を低減することができる。また、家屋等の施工時に何等かの原因により挟持固定板３の固定と壁部Ｗとの施工手順が変わった場合であっても、挟持固定板３を代えることなく、施工を続行することができる。
【００２５】
また、図１１に示すように、通常は、壁部Ｗの外側に外壁Ｗｏが設けられる。つまり、壁部Ｗは、内壁であり、その室外Ｏ側に外壁Ｗｏが設けられているのである。壁部Ｗと外壁Ｗｏとの間隔は、挟持固定板３の側部の長さ（挟持固定板３が略正方形であるので、挟持固定板３の４つの側部の長さはほぼ同一である。）より短いことが多い。そのような場合には、挟持固定板３を図１２又は図１３に示す状態で室内Ｉ側から室外Ｏ側へ水平に移動させると、挟持固定板３が外壁Ｗｏにぶつかってしまい、貫通孔Ｗｃに挿通することができない。しかるに、このガスコンセント１においては、突出板部３ｃが挟持板部３の側部の両端部から離れた中央部に形成されているので、外壁Ｗｏに突き当たることなく貫通孔Ｗｃを通り抜けさせることができる。
【００２６】
すなわち、図１４に示すように、挟持固定板３を図１２に示す状態にして貫通孔Ｗｃに室内Ｉから室外Ｏ側へ挿入し、室外Ｏ側の長突出部３ｄ，３ｄを、貫通孔Ｗｃを通り抜けさせる。その後、図１５に示すように、室内Ｉ側の長突出部３ｄ，３ｄの一方の先端面を貫通孔Ｗｃの内周面に接触させる。そして、貫通孔Ｗｃの内周面に接触する長突出部３ｄの先端面を中心として挟持固定板３を図１５の矢印方向へ回転させ、他方の長突出部３ｄが形成された側部を貫通孔Ｗｃの内周面に接触させるる。そして、他方の長突出部３ｄが形成された側部を図１５の裏面側から表面側へ回動させると同時に矢印方向へ回動させ、図１６に示すように、貫通孔Ｗｃに接触した長突出部３ｄを貫通孔Ｗｃから室外Ｏ側へ通り抜けさせる。その後、挟持固定板３を図１６の矢印方向へ回転させつつ室外Ｏ側へ移動させることにより、挟持固定板３全体を貫通孔Ｗｃから壁部Ｗと外壁Ｗｏとの間の空間内に位置させる。そして、図１７に示すように、挟持固定板３を壁部Ｗの外面Ｗｏの所定の位置に位置させる。
【００２７】
なお、この発明は、上記の実施の形態に限定されるものでなく、その要旨を逸脱しない範囲において適宜変更可能である。
例えば、上記の実施の形態においては、突出板部３ｃを両端部の二つの長突出部３ｄ，３ｄとそれらの間の短突出部３ｅとによって構成しているが、短突出部３ｅの高さを長突出部３ｄの高さと同一にし、突出板部３ｃ全体を一様に形成してもよい。
【図面の簡単な説明】
【００２８】
【図１】後付けタイプの埋め込み型ガスコンセントとして使用されたこの発明の一実施の形態を示す正面図である。
【図２】図１のＸ−Ｘ線に沿う断面図である。
【図３】ガス栓及びコンセント本体を省略して示す図１のＹ−Ｙ線に沿う断面図である。
【図４】図１から図３に示す実施の形態のガス用取付板に化粧蓋を取り付けた状態で正面図である。
【図５】同実施の形態において用いられているガス用取付板を示す図であって、図５（Ａ）はその正面図、図５（Ｂ）、（Ｃ）はそれぞれ図５（Ａ）のＢ矢視、Ｃ矢視図である。
【図６】同実施の形態において用いられている挟持用固定板を示す図であって、図６（Ａ）はその正面図、図６（Ｂ）、（Ｃ）はそれぞれ図６（Ａ）のＢ矢視、Ｃ矢視図である。
【図７】市販の埋め込み型電気コンセントの電気用取付板及びそれに取り付けられたコンセント本体とを示す図であって、図７（Ａ）は、その正面図、図７（Ｂ）は図７（Ａ）のＢ矢視図、図７（Ｃ）はその背面図である。
【図８】埋めこみ型電気コンセントの電気用取付板を示す図であって、図８（Ａ）はその正面図、図８（Ｂ）は図８（Ａ）のＢ矢視図、図８（Ｃ）はその背面図である。
【図９】埋めこみ型電気コンセントのコンセント本体を示す図であって、図９（Ａ）はその平面図、図９（Ｂ）は図９（Ａ）のＢ矢視図である。
【図１０】図７（Ａ）のＸ−Ｘ線に沿う断面図である。
【図１１】先付けタイプの埋め込み型ガスコンセントとして使用されたこの発明の一実施の形態を示す図３と同様の断面図である。
【図１２】同実施の形態において用いられている挟持固定板を貫通孔に通すときの一態様を示す室内側から見た正面図である。
【図１３】同実施の形態において用いられている挟持固定板を貫通孔に通すときの他の態様を示す室内側から見た正面図である。
【図１４】挟持固定板を図１２に示す状態にして貫通孔に挿通するときの手順を説明するための図１２のＸ−Ｘ線に沿う断面図であって、挿通初期の状態を示している。
【図１５】挟持固定板を図１２に示す状態にして貫通孔に挿通するときの手順を説明するための図１４と同様の図であって、挿通中期の状態を示している。
【図１６】挟持固定板を図１２に示す状態にして貫通孔に挿通するときの手順を説明するための図１４と同様の図であって、挿通終期の状態を示している。
【図１７】貫通孔から室外側に挿通された挟持固定板を壁の外面の所定位置に接触させた状態を示す図１４と同様の図である。
【符号の説明】
【００２９】
Ｂ１  ボルト
Ｉ  室内
Ｏ  室外
Ｗ  壁部
Ｗａ  内面
Ｗｂ  外面
Ｗｃ  貫通孔
１  埋め込み型ガスコンセント
２  ガス用取付板（取付板）
３  挟持固定板
３ｃ  突出板部
３ｆ  ボルト挿通孔
４  ガス栓
６  コンセント本体
【図１】
2005140213.tif 000003
【図２】
2005140213.tif 000004
【図３】
2005140213.tif 000005
【図４】
2005140213.tif 000006
【図５】
2005140213.tif 000007
【図６】
2005140213.tif 000008
【図７】
2005140213.tif 000009
【図８】
2005140213.tif 000010
【図９】
2005140213.tif 000011
【図１０】
2005140213.tif 000012
【図１１】
2005140213.tif 000013
【図１２】
2005140213.tif 000014
【図１３】
2005140213.tif 000015
【図１４】
2005140213.tif 000016
【図１５】
2005140213.tif 000017
【図１６】
2005140213.tif 000018
【図１７】
2005140213.tif 000019